(57)【要約】【課題】  白やアイボリー等の内装色と同様な着色が可能であり、かつ温度識別が可能なスプリンクラーヘッドを提供する。【解決手段】  作動温度等の情報が格納された記憶装置２がスプリンクラーヘッド１に設置され、該記憶装置２の読取り装置３によってスプリンクラーヘッド１の作動温度を識別可能とした。また、スプリンクラーヘッドに光や線、電波、磁力のいずれかを与えることで情報が出力される素子５を設けたり、暗所で可視可能となる素材により表示を施した。【選択図】    図２
2006043009.tif 000002
【特許請求の範囲】
【請求項１】
スプリンクラーヘッドに設置された記憶装置と、該記憶装置の読取り装置からなることを特徴としたスプリンクラーヘッドの識別手段。
【請求項２】
前記読取り装置は、記憶装置と非接触で記憶装置に格納された情報を読取ることが可能である請求項１のスプリンクラーヘッドの識別手段。
【請求項３】
光や線、電波、磁力のいずれかを与えることで情報が出力される素子がスプリンクラーヘッドに設置されていることを特徴とするスプリンクラーヘッド。
【請求項４】
請求項３記載の素子から出力される情報を読取り装置により表示させることが可能であることを特徴とするスプリンクラーヘッドの識別手段。
【請求項５】
表面に暗所で可視可能な素材によって識別情報が表示されているスプリンクラーヘッドであり、該スプリンクラーヘッドの周囲を覆い、暗くすることで識別情報が可視可能となることを特徴とするスプリンクラーヘッドの識別手段。
【請求項６】
請求項１記載の記憶装置が設置されていることを特徴とするスプリンクラーヘッド。
【請求項７】
請求項５記載の暗所で可視可能な素材が設けられていることを特徴とするスプリンクラーヘッド。
【発明の詳細な説明】
【技術分野】
【０００１】
本発明は、消火用のスプリンクラーヘッドに関するものである。
【背景技術】
【０００２】
スプリンクラーヘッドは、主に室内の天井面に埋め込まれた状態で設置されており、消火水供給源から延出された配管と接続され、火災の際に内部の弁体を開放して消火水供給源より送られてきた水を散布して火災を鎮圧・消火するものである（例えば、特許文献１参照。）。
【０００３】
スプリンクラーヘッドの表面には作動温度や、感度の種別、製造年等の表示が法的に義務付けられている。特に作動温度の表示に関しては、色と文字により識別がなされているものであり、例えば作動温度が７２℃の場合は無色、９６℃は白、１３９℃は青、・・・となっている。
【０００４】
【特許文献１】特開平７−２８４５４５号公報  （第２−４頁、第１図）
【発明の開示】
【発明が解決しようとする課題】
【０００５】
しかしながら、上記の色による温度識別が法規制されており、また慣習化されていることから、スプリンクラーヘッド自体の色に上記の白、青等の色を使用すると作動温度表示の混乱を招くおそれがあるので実質的に使用できないという問題があった。
【０００６】
特に白色に関しては、室内の壁面や天井の色に近いものであり、長年に渡って白色のスプリンクラーヘッドが望まれているが実現には至っていなかった。
【０００７】
そこで本発明では、上記問題に鑑み、内装色と同様な着色が可能であり、かつ温度識別が可能なスプリンクラーヘッドを提供することを目的としている。
【課題を解決するための手段】
【０００８】
上記の目的を達成するために、請求項１記載の発明は、スプリンクラーヘッドに設置された記憶装置と、該記憶装置の読取り装置からなるスプリンクラーヘッドの識別手段である。
【０００９】
請求項２記載の発明は、前記読取り装置が、前記記憶装置と非接触で、記憶装置に格納された情報を読取ることが可能である請求項１のスプリンクラーヘッドの識別手段である。
【００１０】
請求項３記載の発明は、光や線、電波、磁力のいずれかを与えることで情報が出力される素子がスプリンクラーヘッドに設置されていることを特徴とするスプリンクラーヘッドである。
【００１１】
請求項４記載の発明は、請求項３記載の素子から出力される情報を読取り装置により表示させることが可能であるスプリンクラーヘッドの識別手段である。
【００１２】
請求項５記載の発明は、表面に暗所で可視可能な素材によって識別情報が表示されているスプリンクラーヘッドであり、該スプリンクラーヘッドの周囲を覆い、暗くすることで識別情報が可視可能となるスプリンクラーヘッドの識別手段である。
【００１３】
請求項６記載の発明は、請求項１記載の記憶装置が設置されているスプリンクラーヘッドである。
【００１４】
請求項７記載の発明は、請求項５記載の暗所で可視可能な素材が設けられているスプリンクラーヘッドである。
【発明の効果】
【００１５】
スプリンクラーヘッドに作動温度や、種別、製造年等の情報を格納した記憶装置を設置し、、非接触タイプの読取り装置によって記憶装置内の情報を読取ることを可能としたことで、スプリンクラーヘッドの情報を得る際に読取り装置がスプリンクラーヘッドに衝撃を与えて、スプリンクラーヘッド内部の弁体を保持している分解作動機構に影響を与え、弁体から漏れを生じるおそれがない。
【００１６】
また請求項３として、スプリンクラーヘッドに設置された素子は、通常においては目立たなく、光や赤外線等の線、電波、磁力を与えた際に情報あるいは表示が出力されるようにしたことでスプリンクラーヘッドを識別可能とした。
【００１７】
請求項４では、請求項３の素子からの出力を受けて情報が表示されるもので、情報量が多い場合には読取り装置を使用することで表示が可能となる。
【００１８】
請求項５では、スプリンクラーヘッドの表面に暗所で可視可能となる素材によって識別情報を表示させておき、点検時にスプリンクラーヘッドの温度を確認する場合には、スプリンクラーヘッドの周囲を覆って暗くすることで識別情報を読取ることが可能となる。
【発明を実施するための最良の形態】
【００１９】
本発明を実施するにあたって、請求項１に記載されている記憶装置や請求項３記載の素子の一例として、ＩＣタグや、ＩＣチップ、バーコード等を用い、該装置に対応する読取り装置、表示装置を用いることでスプリンクラーヘッドの識別が可能となる。
【００２０】
請求項５記載の素材の一例としては、蛍光素材や蓄光素材、反射材等を用いることが可能である。
【実施例１】
【００２１】
以下、実施例１を図１、２を参照して説明する。図１は記憶装置が設置されたスプリンクラーヘッドの外観図。図２はスプリンクラーヘッドから情報を読取る状態の説明図。
【００２２】
実施例１は、図１に示すようにスプリンクラーヘッド１の表面にＩＣタグ２が貼付されているものである。ＩＣタグ２には、スプリンクラーヘッド１の作動温度や、種別、製造年、製造番号等の情報が格納されている。
【００２３】
点検時に、ＩＣタグ２内の情報を読取る際には、読取り装置３のアンテナ４を天井面に設置されているスプリンクラーヘッド１に近づける。ＩＣタグ２と読取り装置３は非接触状態でＩＣタグ２内の情報を読取れることから、アンテナ４がスプリンクラーヘッド１に接触してスプリンクラーヘッド１に外力を与えることはない。
【００２４】
上記の場合、ＩＣタグ２から発信される電波をアンテナ４により受信し、読取り装置３にて表示させるように構成してもよいし、あるいはアンテナ４から発信した電波をＩＣタグ２が受けて、内蔵されている情報を返信して読取り装置３にて表示させることも可能である。
【実施例２】
【００２５】
次に、実施例２について図３、４を参照して説明する。図３は表面に光や線、電波、磁力等のいずれかを与えることで可視可能な素子が設置されているスプリンクラーヘッド、図４は図３のスプリンクラーヘッドにおいて光や線等を与えた際の表示パターンである。
【００２６】
実施例２において、図３のスプリンクラーヘッドの表面には、光や線、電波、磁力等のいずれかを与えることで可視可能となる素子５によって作動温度が表示されている。
【００２７】
例えばスプリンクラーヘッドＨにある周波数の電波や、所定以上の磁力を与えると、スプリンクラーヘッドの作動温度が７２℃である場合は緑、９６℃である場合は白、１３９℃は青の表示が可視可能となる。
【００２８】
また、図４（ａ）のように図形が可視可能となるものや、同図（ｂ）、（ｃ）のように数字や文字が可視可能となるようにしてもよい。
【００２９】
さらに、ある特定の周波数を与えることで発光することによりスプリンクラーヘッドの識別を行なうことも可能である。例えば、作動温度が７２℃のスプリンクラーヘッドに設置された素子は、周波数Ａを受けた際に発光され、作動温度が９６℃のものは周波数Ｂを受けた際に発光されるようにすることもできる。
【実施例３】
【００３０】
続いて、実施例３について図５を参照して説明する。図５はスプリンクラーヘッドの表面に施されている情報を読取る状態を表す。
【００３１】
実施例３において、実施例３のスプリンクラーヘッドの外面には図３における素子５と同様な位置に、蓄光素材により前述の図４に示す表示が施されている。
【００３２】
実施例３のスプリンクラーヘッドの作動温度を識別する場合は、図５に示すように筒状体１０を天井面に接触させスプリンクラーヘッドＨの周囲を覆い、スプリンクラーヘッドＨの周囲を暗くする。
【００３３】
筒状体１０の下側からスプリンクラーヘッドＨを覗き込むと、蓄光素材によって表示された図形や文字等が光ることから可視可能となり、スプリンクラーヘッドの作動温度を識別することができる。
【００３４】
その際、筒状体１０は光を通さない素材のものや黒色のものを使用することが好ましい。また、蓄光素材の色としては、スプリンクラーヘッドＨの色と同じか近似色、あるいは透明・半透明であるものを用いることが好ましい。
【図面の簡単な説明】
【００３５】
【図１】実施例１のスプリンクラーヘッドの外観図
【図２】スプリンクラーヘッドから情報を読取る状態の説明図
【図３】実施例２のスプリンクラーヘッドの外観図
【図４】実施例２のスプリンクラーヘッドに光や線等を与えた際の表示パターン
【図５】実施例３のスプリンクラーヘッドの表面に施されている情報を読取る状態
【符号の説明】
【００３６】
１  実施例１のスプリンクラーヘッド
２  ＩＣタグ
３  読取り装置
４  アンテナ
５  素子
１０  筒状体
Ｈ  スプリンクラーヘッド
【図１】
2006043009.tif 000003
【図２】
2006043009.tif 000004
【図３】
2006043009.tif 000005
【図４】
2006043009.tif 000006
【図５】
2006043009.tif 000007